(57)【特許請求の範囲】
【請求項１】
鉄筋コンクリート構造物の表面に長溝を形成し、該長溝内に陽極材を挿入し、該長溝内にセメント系固化材からなる充填材を注入することにより前記陽極材を埋設する鉄筋コンクリート構造物に対する電気防食用電極設置方法において、
前記長溝の開口部幅より広い幅の細長い平板状をしたフランジの裏面中央に、前記長溝の開口部に圧入することによって抜け止めされる圧入用突条を一体に有するとともに、前記フランジ幅方向の中央に、表裏に貫通開口した多数の貫通孔を長さ方向に並べて形成された長溝開口部閉鎖具を使用し、
該長溝開口部閉鎖具のフランジ外面側に粘着テープを貼着して前記貫通孔を閉鎖しておき、
該長溝開口部閉鎖具の前記圧入用突条を、前記長溝内に陽極材を挿入した後該長溝の開口部に圧入させるとともに前記フランジの裏面を粘着材層又は接着剤層を介して鉄筋コンリート構造物表面に密着させることにより該長溝開口部を閉鎖し、
しかる後前記長溝内に充填材を注入し、該充填材の固化後に前記粘着テープを剥がして前記貫通孔の開口部を大気に開放することを特徴としてなる鉄筋コンクリート構造物に対する電気防食用電極設置方法。
【請求項２】
前記圧入用突条には、その側面に、前記フランジ側に向けて傾斜させたひれ状部を一体に有している請求項１に記載の鉄筋コンクリート構造物に対する電気防食用電極設置方法。
【請求項３】
平板状をしたフランジの裏面中央に、鉄筋コンクリート構造物の表面に形成した長溝の開口部に圧入することによって抜け止めされる圧入用突条を一体に有するとともに、前記フランジ幅方向の中央に、表裏に貫通開口した多数の貫通孔が長さ方向に並べて形成され、
前記フランジの表面に、その幅方向中央位置から前記圧入用突条内に至る深さの細溝が長さ方向に連続して形成され、かつ前記フランジの下面は、両側縁部側が下向きに傾斜したテーパ状に形成され、
前記フランジ外面側に剥離可能な粘着テープを貼着して前記貫通孔を閉鎖してなる電気防食用電極設置長溝開口部閉鎖具。
【請求項４】
前記圧入用突条の両側面には、断面が先細りのテーパ状をなし、その先端が前記フランジ側に傾斜されたひれ状部が１又は複数一体に形成され、該ひれ状部が、押し倒されてコンクリート構造物の長溝開口部に圧入されるようにしてなる請求項３に記載の電気防食用電極設置長溝開口部閉鎖具。
【発明の詳細な説明】
【技術分野】
【０００１】
本発明は、鉄筋コンクリート構造物に対する電気防食の施工に際し、該構造物表面に形成した長溝内に陽極材を埋設する、鉄筋コンクリート構造物に対する電気防食用電極設置方法及び該方法に使用する長溝開口部閉鎖具に関する。
【背景技術】
【０００２】
一般に、鉄筋コンクリート構造物の電気防食方法の一方式として非消耗帯状陽極方式が知られている。帯状陽極の設置にあたっては、コンクリート表面に一定定問隔で溝を切削し、コンクリートドリル等を用いて溝底而に穴を形成し、この穴に嵌合する樹脂製のピン等を用いて陽極材をその溝内に同定した後に、陽極被覆材としてのセメントモルタル等のセメント系固化材を左官により溝内に充填して溝を修復する。この非消耗帯状陽極方式で用いられる陽極材は帯状形状を有する網目状のものであって、寸法は、幅が１０ｍｍ程度〜２０ｍｍ程度、厚さが０．５ｍｍ程度〜１．３ｍｍ程度で、電気防食の設計条件により使い分けられる。
【０００３】
このような帯状陽極方式における陽極材の設置方法として、垂直設置方法や水平設置方法が知られている（例えば、特許文献１）。
【０００４】
陽極材を垂直設置するための溝（幅４ｍｍ程度〜１０ｍｍ程度、深さ２０ｍｍ程度〜２５ｍｍ程度）は、コンクリート表面の切削すべき溝位置に、カッタを用いて、陽極材の幅より深い深さを有する長溝を切削することにより形成する。これに対して、陽極材を水平設置するための溝（幅２０ｍｍ程度〜２５ｍｍ程度、深さ１５ｍｍ程度〜２０ｍｍ程度）は、陽極材の幅より大きな幅を有する長溝であることから、まずコンクリート表面の切削すべき溝の両端位置をカッタで切削し、次にチッパー等を用いてカッタ目間のコンクリートをはつり取ることにより形成する。
【０００５】
従って、コンクリート表面に溝を切削する費用は、水平設置方法よりも垂直設置方法の方が安価であるため、帯状陽極方式におけるコスト縮減のためには、陽極材を垂直設置することが好ましい。
【特許文献１】特開２００２‐３７１３９１号公報
【発明の開示】
【発明が解決しようとする課題】
【０００６】
しかし、帯状の陽極材の幅より深い深さを有する、陽極材を垂直設置した長溝内に、網目状の陽械材を完全に覆うようにセメント系固化材を、左官仕事によって充填することは、陽極材を水平設置した幅広の長溝内にセメント系固化材を充填するよりも困難である。特に鉄筋コンクリート構造物の下面に形成された、陽極材を垂直設置した長溝内に、セメント系固化材を充填することは困難性がより一層高く、充填不良によって耐久性の低下や電気防食の誤作動を引き起こすおそれがある。
【０００７】
また、長溝内へのセメント系固化材の充填方法として、長溝の開口部を閉鎖し、内部に固化材を注入することにより充填する方法が考えられ、長溝開口部閉鎖具の取り付け方法として、鉄筋コンクリート構造物表面にアンカーを設置して固定する方法や接着剤により固定する方法が考えられるが、アンカーの設置はコンクリート表面を傷つけることとなって好ましくなく、かつ作業工数が多くなってコスト高となるという問題がある。また、接着剤のみによる固定では、保持力が不十分となって作業中に剥れ落ちる危険性があるという問題があった。
【０００８】
更に、陽極材を電気防食として作用させるとき、該陽極材から酸素ガスが発生するため、これを効果的に排出する必要がある。
【０００９】
本発明は、上述の如き従来の問題に鑑み、鉄筋コンクリート構造物に対する電気防食用電極設置に際し、陽極材を挿入した長溝内へのコンクリート系固化材からなる充填材の充填作業が、少ない工数で、より簡単に行うことができ、しかも陽極材表面に発生する酸素ガスが効果的に大気に放出されることとなる鉄筋コンクリート構造物に対する電気防食用電極設置方法の提供を目的としてなされたものである。
【課題を解決するための手段】
【００１０】
上述の如き従来の問題を解決し、所期の目的を達成するための請求項１に記載の発明の特徴は、鉄筋コンクリート構造物の表面に長溝を形成し、該長溝内に陽極材を挿入し、該長溝内にセメント系固化材からなる充填材を注入することにより前記陽極材を埋設する鉄筋コンクリート構造物に対する電気防食用電極設置方法において、
前記長溝の開口部幅より広い幅の細長い平板状をしたフランジの裏面中央に、前記長溝の開口部に圧入することによって抜け止めされる圧入用突条を一体に有するとともに、前記フランジ幅方向の中央に、表裏に貫通開口した多数の貫通孔を長さ方向に並べて形成された長溝開口部閉鎖具を使用し、
該長溝開口部閉鎖具のフランジ外面側に粘着テープを貼着して前記貫通孔を閉鎖しておき、
該長溝開口部閉鎖具の前記圧入用突条を、前記長溝内に陽極材を挿入した後該長溝の開口部に圧入させるとともに前記フランジの裏面を粘着材層又は接着剤層を介して鉄筋コンリート構造物表面に密着させることにより該長溝開口部を閉鎖し、
しかる後前記長溝内に充填材を注入し、該充填材の固化後に前記粘着テープを剥がして前記貫通孔の開口部を大気に開放することを特徴としてなる鉄筋コンクリート構造物に対する電気防食用電極設置方法。
【００１１】
請求項２に記載の発明の特徴は、請求項１の構成に加え、前記圧入用突条には、その側面に、前記フランジ側に向けて傾斜させたひれ状部を一体に有していることにある。
【００１２】
請求項３に記載の発明の特徴は、平板状をしたフランジの裏面中央に、鉄筋コンクリート構造物の表面に形成した長溝の開口部に圧入することによって抜け止めされる圧入用突条を一体に有するとともに、前記フランジ幅方向の中央に、表裏に貫通開口した多数の貫通孔が長さ方向に並べて形成され、
前記フランジの表面に、その幅方向中央位置から前記圧入用突条内に至る深さの細溝が長さ方向に連続して形成され、かつ前記フランジの下面は、両側縁部側が下向きに傾斜したテーパ状に形成され、
前記フランジ外面側に剥離可能な粘着テープを貼着して前記貫通孔を閉鎖してなる電気防食用電極設置長溝開口部閉鎖具にある。
【００１３】
請求項４に記載の発明の特徴は、請求項３の構成に加え、前記圧入用突条の両側面には、断面が先細りのテーパ状をなし、その先端が前記フランジ側に傾斜されたひれ状部が１又は複数一体に形成され、該ひれ状部が、押し倒されてコンクリート構造物の長溝開口部に圧入されるようにしたことにある。
【発明の効果】
【００１４】
本発明においては、鉄筋コンクリート構造物に形成した陽極材挿入用の長溝の開口部幅より広い幅の細長い平板状をしたフランジの裏面中央に、前記長溝の開口部に圧入することによって抜け止めされる圧入用突条を一体に有する長溝開口部閉鎖具を使用し、該長溝開口部閉鎖具の前記圧入用突条を、前記長溝内に陽極材を挿入した後該長溝の開口部に圧入させることにより該長溝開口部を閉鎖し、しかる後前記長溝内に充填材を注入することとしたことにより、長溝が横向き更には下向き等、左官仕事では充填材を充填しにくい角度であっても、その充填材をポンプ注入によって容易且つ完全になすことができる。
【００１５】
また、フランジの裏面を粘着材層又は接着剤層を介して鉄筋コンリート構造物表面に密着させることにより、長溝開口部の閉鎖がより完全なものとなり、充填材注入作業時の漏れをなくすることができる。
【００１６】
また、アンカー等の止め具を使用しないため、鉄筋コンクリート構造物表面を傷付けることなく作業ができる。
【００１７】
また、本発明においては、長溝開口部閉鎖具として、前記フランジ幅方向の中央に、表裏に貫通開口した多数の貫通孔を長さ方向に並べて形成されたものを使用し、該長溝開口部閉鎖具のフランジ外面側に粘着テープを貼着して前記貫通孔を閉鎖しておき、前記長溝内に陽極材を挿入した後該長溝の開口部に、粘着テープにて貫通孔を閉鎖した前記長溝開口部閉鎖具の圧入用突条を圧入させて該長溝開口部を閉鎖し、しかる後前記長溝内に充填材を注入し、該充填材の固化後に前記粘着テープを剥がして前記貫通孔の開口部を大気に開放するようにしたことにより、充填材の固化後に、テープを剥がす作業のみで、充填材表面を大気に開放することができ、良好な陽極発生ガスの放出可能状態を作り出すことができる。
【００１８】
更に、前記長溝開口部閉鎖具の圧入用突条の側面に、前記フランジ側に向けて傾斜させた逆止め用のひれ状部を一体に備えることにより、長溝への圧入が容易であるが抜け難いものとすることができる。
【００１９】
更に、本発明においては、長溝開口部閉鎖具として、フランジ表面の幅方向中央位置から前記圧入用突条内に至る深さの細溝が長さ方向に連続して形成され、かつ前記フランジ下面は、両側縁部側が下向きに傾斜したテーパ状に形成されたものを使用し、前記長溝内に陽極材を挿入した後該長溝の開口部に、前記長溝開口部閉鎖具の圧入用突条を圧入させて該長溝開口部を閉鎖し、該長溝内に充填材を注入し、該充填材の固化後に前記長溝開口部閉鎖具を除去することにより長溝内の充填材表面を大気に開放するようにすることにより、充填材固化後における充填材表面の全域が大気に開放されるため陽極発生ガスの放出がより効果的となり、かつ、その長溝開口部閉鎖具の除去作業が容易となる。
【発明を実施するための最良の形態】
【００２０】
次に本発明の実施の一例を図１〜図３に基づいて説明する。図において符号１は、本発明にて使用する長溝開口部閉鎖具の一例を示しており、この長溝開口部閉鎖具１は、細長の平板状をしたフランジ２と、その幅方向中央位置に長さ方向に向けて一体に突設された圧入用突条３とから構成されている。圧入用突条３には、その両側面に突条先端部からフランジ縁部側にむいて傾斜した配置の逆止め用ひれ状部４が長さ方向に連続して一体に形成されている。このひれ状部４は断面が先細りの楔上に形成されている。
【００２１】
長溝開口部閉鎖具１には、フランジ２の幅方向中央部分に、長さ方向に向けた細長の貫通孔５が、長溝開口部閉鎖具長さ方向に向けて一定間隔毎に開口されている。尚、この貫通孔５が存在する位置では、フランジ２の背面の圧入用突条は欠落した状態となっている。
【００２２】
また、長溝開口部閉鎖具１のフランジ２の表面には予め、粘着テープ６を全長に亘って貼着して貫通孔５のフランジ表面側開口を閉鎖するとともに、フランジ２の両翼部２ａ，２ａの裏面に両面粘着テープ７を貼着することにより粘着材層を被着させる。
【００２３】
次に、上述の如き長溝開口部閉鎖具１を使用した本発明の鉄筋コンクリート構造物に対する電気防食用電極設置方法の一例について説明すると、図２に示すように電気防食処理を施そうとする鉄筋コンクリート構造物１０の表面に、陽極材設置用の長溝１１を形成する。この長溝の形成は、前述した従来技術と同様の方法によって切削形成する。
【００２４】
次いで、この長溝１１内に陽極材１２を挿入し、例えば図に示す如き断面Ｃ型の弾性保持具１３を使用して長溝１１内から脱落しないように保持させる。然る後、前述した長溝開口部閉鎖具１をそのフランジ２の表面に粘着テープ６を貼着した状態で、その圧入用突条３を長溝１１の開口部に、フランジ２の裏面が構造物１０の表面に密着するまで圧入し、フランジ２の裏面を両面粘着テープ７による粘着材層により鉄筋コンクリート構造物表面に被着させる。
【００２５】
このようにして長溝開口部閉鎖具１をもって長溝１１の開口部を閉鎖した後、長溝１１の適宜位置に充填材注入パイプ１５を連通させ、圧入用ポンプ１６を使用して長溝１１内へ無収縮モルタル、セメントミルク等のセメント系固化材からなる充填材１７を注入する。
【００２６】
充填材１７の注入後、その固化を待って、フランジ表面に貼着されている粘着テープ６を剥がし、貫通孔５の画面側開口を大気に開放する。これにより陽極材１２を電気防食として供用する際に、陽極発生する酸素ガスは、貫通孔５を通じて大気に放出される。
【００２７】
尚、上述した長溝開口部閉鎖具１は、一例として全体が合成樹脂材からなる弾性材をもって形成されたものを使用しているが、他のゴム状弾性材等、コンクリート構造物の長溝内に押し込んだ状態で該長溝内に充填材を注入する際に、その注入圧に抗して長溝開口部を閉鎖できる弾性力がある材料であればよい。
【００２８】
また、接着剤層又は粘着材層に使用する接着剤又は粘着剤は、長溝開口部閉鎖具１に対して接着又は粘着し、且つコンクリート構造物表面に密着して長溝開口部閉鎖具１との隙間を塞ぐことができる性質のものであればよい。
【図面の簡単な説明】
【００２９】
【図１】本発明方法に使用する長溝開口部閉鎖具の一例を示すもので、（ａ）は平面図、（ｂ）は正面図、（ｃ）は側面図である。
【図２】本発明の方法における長溝内に充填材を注入した状態の断面図である。
【図３】同上の充填材注入工程を示す断面図である。
【符号の説明】
【００３０】
１  長溝開口部閉鎖具
２  フランジ
３  圧入用突条
４  逆止め用ひれ状部
５  貫通孔
６  粘着テープ
７  両面粘着テープ
１０  鉄筋コンクリート構造物
１１  陽極材設置用の長溝
１２  陽極材
１３  弾性保持具
１５  充填材注入パイプ
１６  圧入用ポンプ
１７  充填材
【図１】
0005067694.tif 000002
【図２】
0005067694.tif 000003
【図３】
0005067694.tif 000004